(57)【要約】【課題】  施工初心者であっても、壁面等に簡単かつ確実に取り付けうる単水栓を提供する。【解決手段】  単水栓1Fは、後端に開口した水導入口部21を有する水栓本体2と、水導入口部にその軸線周りに回転自在に接続され、壁面Wの孔W1から露出した給水配管前端の雌ネジ部P1にねじ込まれる筒状雄ネジ部材3Cとを備える。水導入口部は雄ネジ部材に対して前後移動自在となされる。雄ネジ部材および水導入口部には、水導入口部が後方移動端に来たときに複数の相対回転位置において互いに係合して両者の相対回転を阻止しうる一方、水導入口部が前方移動端に来たときに係合解除して両者の相対回転を許容しうるセレーション（係合部）31,210が形成される。さらに、単水栓は、水導入口部を後方移動端に保持するバネおよび止めネジ（保持手段）5,９を備える。【選択図】  図１
2010053685.tif 000002
【特許請求の範囲】
【請求項１】
後端に開口した水導入口部を有する水栓本体と、水導入口部にその軸線周りに回転自在に接続されかつ水栓取付面の孔から露出した給水配管前端の雌ネジ部にねじ込まれる筒状の雄ネジ部材とを備え、
水導入口部は雄ネジ部材に対して前後移動自在となされており、
雄ネジ部材および水導入口部には、水導入口部が後方移動端に来たときに複数の相対回転位置において互いに係合して両者の相対回転を阻止しうる一方、水導入口部が前方移動端に来たときに係合解除して両者の相対回転を許容しうる係合部が形成されており、
さらに、水導入口部を後方移動端に保持する保持手段を備えており、
水導入口部および雄ネジ部材の係合部が、互いに噛み合うセレーションによって構成されていることを特徴とする、単水栓。
【請求項２】
保持手段が、水導入口部を前方に向かって付勢するバネ、および、水導入口部が後方移動端にあるときに水導入口部のネジ孔にねじ込まれてその先端が雄ネジ部材の表面に当てられる止めネジのうち少なくともいずれか一方よりなることを特徴とする、請求項１記載の単水栓。
【発明の詳細な説明】
【技術分野】
【０００１】
本発明は、単水栓に関し、より詳細には、横水栓、止水栓等の単水栓を、壁面等の水栓取付面の孔から露出させた給水配管の前端に取り付けるための構造に関する。
この明細書において、「水栓取付面」には、壁面の他、カウンター等の水平板の上面が含まれるものとする。
【背景技術】
【０００２】
一般に、単水栓は、単一の弁部を有し、この弁部をハンドルの操作によって開閉することで、吐水、止水および流量調整が行われるようになっている。
【０００３】
単水栓の壁面等への取付は、水栓本体の後部に形成された雄ネジ付き水導入口部にシールテープを巻いておいてから、この雄ネジ付き水導入口部を、給水配管前端を構成する管継手の雌ネジ部にねじ込むことによって行われる。
上記のねじ込み作業は、水栓本体における水導入口部の基端部付近に形成された外向き環状の化粧フランジ部と壁面との間隔が所定距離まで縮まった時点で、ハンドルが適正な回転位置（通常は真上）に来るように行う必要があるが、シールテープを少しでもねじ戻してしまうと、シール性が損なわれ、漏水の原因になってしまう。
【０００４】
しかしながら、上記のような取付作業には、シールテープの巻き数・巻き方や化粧フランジ部と壁面との距離の把握等に関する熟練した技術・経験が必要であって、例えば一般需要者のような施工初心者が単水栓の取付を行う場合には、施工が不十分で漏水が生じたり、ハンドルの向きが適正位置に来ない可能性が高く、結局は専門業者に依頼せざるを得ないという問題があった。
【０００５】
ところで、混合水栓の壁面への取付に際しても、上記とほぼ同様の施工上の問題があったが、この問題を解決するための手段として、本発明者は次のような混合水栓接続用管継手を提案した（下記の特許文献１参照）。
すなわち、この混合水栓接続用管継手は、後端側に雄ネジ付き配管接続口部を有する水平筒状の第１管継手部材と、第１管継手部材にその前端側から回動可能にかつ前後移動可能に嵌め被せられた回動筒部、回動筒部の前端からラジアル方向に延びた中空状アーム部、およびアーム部の先端に前方突出状に設けられた混合水栓接続口部よりなる第２管継手部材とを備えているものである。第２管継手部材の回動筒部の内周面には、係合凸部が１つまたは周方向に間隔をおいて複数形成されている。第１管継手部材の外周面には、係合凸部を収容する環状溝が形成され、また、環状溝の後側面に、回動筒部を後方に移動させることにより係合凸部と係り合わせられる係合凹部が、１つまたは周方向に間隔をおいて複数形成されている。
【０００６】
上記の管継手によれば、まず、第２管継手部材の回動筒部を後方に移動させて、その係合凸部を第１管継手部材の係合凹部に係り合わせる。この操作によって、第２管継手部材の回動筒部が、第１管継手部材に対して回動不能となされる。また、第１管継手部材の配管接続口部の雄ネジにシールテープを巻いておく。そして、この状態で第２管継手部材を手で持って所要方向に回すことにより、第１管継手部材の配管接続口部の雄ネジを給湯配管および給水配管の各前端の雌ネジ部にねじ込む。ねじ込み作業完了後、回動筒部を前方に移動させると、係合凸部が係合凹部から外れて環状溝内に位置させられ、回動筒部が第１管継手部材に対して回動可能となる。そして、混合水栓接続口部が混合水栓を接続するのに適した位置に来るように、回動筒部を所要角度回動させ、混合水栓接続口部を混合水栓本体の湯または水導入口に接続する。
このように、上記の混合水栓接続用管継手を使用すれば、いわゆる施工初心者であっても、熟練した技術や経験を要することなく、給湯配管および給水配管への混合水栓の接続作業を極めて容易にかつ確実に行うことが可能となる。
【０００７】
しかしながら、混合水栓の場合は、接続箇所が給湯配管および給水配管の左右２カ所あるため、上記の管継手を使用しても施工後に各管継手の回動筒部が回転して不具合が生じることがないが、この管継手の構造をそのまま単水栓の取付構造に適用したのでは、施工後に回動筒部が勝手に回転してしまうため問題がある。
【先行技術文献】
【特許文献】
【０００８】
【特許文献１】特開２００６−１１８１１８号公報
【発明の概要】
【０００９】
本発明の目的は、施工初心者であっても、壁面等に簡単かつ確実に取り付けることができる単水栓を提供することにある。
【００１０】
本発明による単水栓は、後端に開口した水導入口部を有する水栓本体と、水導入口部にその軸線周りに回転自在に接続されかつ水栓取付面の孔から露出した給水配管前端の雌ネジ部にねじ込まれる筒状の雄ネジ部材とを備え、水導入口部は雄ネジ部材に対して前後移動自在となされており、雄ネジ部材および水導入口部には、水導入口部が後方移動端に来たときに複数の相対回転位置において互いに係合して両者の相対回転を阻止しうる一方、水導入口部が前方移動端に来たときに係合解除して両者の相対回転を許容しうる係合部が形成されており、さらに、水導入口部を後方移動端に保持する保持手段を備えているものである。
【００１１】
本発明による単水栓は、例えば、以下のようにして壁面等の水栓取付面に取り付けることができる。すなわち、まず、雄ネジ部材にシールテープを巻いておく。また、水栓本体の水導入口部を後方移動端に位置させ、雄ネジ部材と水栓本体とが相対回転しないようにしておく。
こうしておいてから、水栓本体を手で持って、雄ネジ部材を給水配管前端の雌ネジ部にねじ込む。
雄ネジ部材を雌ネジ部に必要な回転量だけねじ込んだところで、水栓本体の回転方向の向きを確認する。そして、例えば、水栓本体に取り付けられたハンドルが適正な位置に来ていない場合、水栓本体を前方移動端に移動させると、水栓本体が雄ネジ部材に対して回転自在となるので、水栓本体を適正位置まで回転させる。
次に、水栓本体を後方移動端に移動させると、水導入口部の係合部が雄ネジ部材の係合部に係合して、雄ネジ部材と水栓本体とが相対回転しないようになされる。
その後、不用意に水導入口部が前方移動端まで移動して水栓本体が回転しないように、保持手段によって水導入口部を後方移動端に保持しておく。
よって、本発明の単水栓によれば、水栓本体の回転方向の向きをきわめて容易に調整することが可能であり、施工初心者であっても簡単かつ確実に壁面等に取り付けることができる。また、本発明による単水栓によれば、部品点数が少なくなるため、その分だけ製造コストが抑えられる。
【００１２】
本発明による単水栓において、水導入口部および雄ネジ部材の係合部が、互いに噛み合うセレーションによって構成されているのが好ましく、それによって、相対回転位置の微調整が可能となる上、両者の構造が単純化され、製造コストを抑えられる。
【００１３】
本発明による単水栓において、保持手段が、水導入口部を前方に向かって付勢するバネよりなる場合がある。
保持手段をバネで構成すれば、水導入口部が前方移動端、すなわち、ロック解除位置にある水栓本体を適宜回転させて向きを調整した後、水栓本体から手を離せば、バネの弾性力によって、水導入口部が後方移動端、すなわち、ロック位置まで自動的に移動し、その後も同位置に保持されるので、使い勝手が良く、取付作業の効率が向上する。
なお、保持手段は、バネに代えて、或いはバネに加えて、例えば止めネジ等の他の手段を用いることも勿論可能である。
【図面の簡単な説明】
【００１４】
【図１】本発明の実施形態を示すものであって、水導入口部がロック位置にある状態の単水栓の部分拡大垂直縦断面図である。
【図２】本発明の実施形態において、水導入口部がロック解除位置にある状態の単水栓の部分拡大垂直縦断面図である。
【図３】図１のXXVIII−XXVIII線に沿う単水栓の横断面図である。
【図４】図１のXXIX−XXIX線に沿う単水栓の横断面図である。
【発明を実施するための形態】
【００１５】
図１〜図４には、本発明の実施形態が示されている。
この実施形態の単水栓（１Ｆ）は、後端に開口した水導入口部（２１）を有する水栓本体（２）と、水導入口部（２１）にその軸線周りに回転自在に接続されかつ壁面（Ｗ）の孔（Ｗ１）から露出した給水配管前端の雌ネジ部（Ｐ１）にねじ込まれる筒状の雄ネジ部材（３Ｃ）とを備えている。
水導入口部（２１）は、雄ネジ部材（３Ｃ）に対して前後移動自在となされている。
雄ネジ部材（３Ｃ）および水導入口部（２１）には、水導入口部（２１）が後方移動端に来たときに複数の相対回転位置において互いに係合して両者（３Ｃ）（２１）の相対回転を阻止しうる一方、水導入口部（２１）が前方移動端に来たときに係合解除して両者（３Ｃ）（２１）の相対回転を許容しうる係合部（３１）（２１０）が形成されている。
さらに、単水栓（１Ｆ）は、水導入口部（２１）を前方移動端に保持する保持手段（５Ｂ）（９）を備えている。
【００１６】
雄ネジ部材（３Ｃ）は、略水平筒状のものであって、外周面後部に雄ネジ部（３０）が形成されている。雄ネジ部材（３Ｂ）の外周面における雄ネジ部（３０）の前方部分に環状外方凸部（３３）が形成され、環状外方凸部（３３）の周面にセレーション（３１）が形成されている。このセレーション（３１）が、雄ネジ部材（３Ｃ）の係合部（３１）を構成している。雄ネジ部材（３Ｃ）の外周面前端部には、環状溝（３６）が形成されている。雄ネジ部材（３Ｃ）の内周面における前端寄り部分に、後ろ向きの環状段差（３７）が形成されている。
【００１７】
水導入口部（２１）は、水栓本体（２）の後端部に形成されかつ内周面の前部に雌ネジ部（２１１）を有する水平筒状部（２１a）と、外周面前部に水平筒状部（２１ａ）にねじ込まれる雄ネジ部（２１２）を有する筒状部材（２１ｂ）とで構成されている。
水平筒状部（２１ａ）の内周面の長さ中間部には、雄ネジ部材（３Ｃ）の前端面を受けうる後ろ向きの第１環状段差（２２１）が形成されている。また、水平筒状部（２１ａ）の内周面の後端寄り部分には、雄ネジ部材（３Ｃ）の環状外方凸部（３３）を受けうる後ろ向きの第２環状段差（２２４）が形成されている。雌ネジ部（２１１）は、水平筒状部（２１ａ）の内周面における第１環状段差（２１１）の前方部分に形成されている。水平筒状部（２１ａ）の内周面における第２環状段差（２２４）の後方部分には、雄ネジ部材（３Ｃ）のセレーション（３１）に噛み合うセレーション（２１０）が形成されており、このセレーション（２１０）が水導入口部（２１）の係合部（２１０）を構成している。水平筒状部（２１ａ）の内周面における雌ネジ部（２１１）の前側部分には、雄ネジ部材（３Ｂ）の内径にほぼ等しい開口径を有する環状内方凸部（２２２）が形成されている。水平筒状部（２１ａ）の外周面の後端部には、壁面（Ｗ）の孔（Ｗ１）付近を被覆する外向き環状の化粧フランジ部（２２５）が形成されている。化粧フランジ部（２２５）の前面は、ゆるやかなテーパ面となされている。水平筒状部（２１ａ）の下部には、後方移動端に位置した際に雄ネジ部材（３Ｃ）の環状溝（３６）に向かって開口するネジ孔（２２６）があけられている。
筒状部材（２１ｂ）の外周面の長さ中間部には、雄ネジ部材（３Ｃ）内周面の環状段差（３７）と所定距離をおいて向かい合う前向きの環状段差（２１８）が形成されている。筒状部材（２１ｂ）の外周面と雄ネジ部材（３Ｃ）の内周面との間は、Ｏリング等の環状パッキン（６）によってシールされている。
水平筒状部（２１ａ）と筒状部材（２１ｂ）とは、これらのネジ部（２１１）（２１２どうしが接着されることにより、完全止水される。
【００１８】
雄ネジ部材（３Ｃ）内周面の環状段差（３７）と筒状部材（２１ａ）外周面の環状段差（２１８）との間には、水導入口部（２１）を後方に向かって付勢するバネ（５Ｂ）が介在されている。
また、この実施形態の単水栓（１Ｆ）は、水導入口部（２１）が後方移動端にあるときに水平筒状部（２１ａ）のネジ孔（２２６）にねじ込まれて、その先端が環状溝（３６）の底面に当てられる止めネジ（９）を備えている。
これらのバネ（５Ｂ）および止めネジ（９）によって、水導入口部（２１）を後方移動端に保持する保持手段が構成されている。
なお、保持手段は、バネ（５Ｂ）および止めネジ（９）のいずれか一方のみによって構成することも可能である。
【００１９】
上記の単水栓（１Ｆ）は、例えば次のようにして壁面（Ｗ）に取り付けられる。
すなわち、まず、雄ネジ部材（３Ｃ）にシールテープ（図示略）を巻いておく。ここで、水栓本体（２）の水導入口部（２１）は、雄ネジ部材（３）に対して回転しないように、後方移動端、すなわちロック位置に保持しておく必要があるが、この実施形態では保持手段としてバネ（５Ｂ）を使用しているため、バネ（５）の弾性力により水導入口部（２１）は自動的にロック位置に保持されている。また、ロック状態をより確実に保持するために、水導入口部（２１）における水平筒状部（２１ａ）のネジ孔（２２６）に止めネジ（９）をねじ込んでおくのが好ましい。
こうしておいてから、水栓本体（２）を手で持って、雄ネジ部材（３Ｃ）を給水配管前端の雌ネジ部（Ｐ１）にねじ込む（図２６参照）。
雄ネジ部材（３Ｃ）を雌ネジ部（Ｐ１）に必要な回転量だけねじ込んだところで、水栓本体（２）の回転方向の向きを確認する。そして、水栓本体（２）に取り付けられたハンドル（２７）（図１参照）が真上に来ていない場合、止めネジ（９）を緩めておいてから、水栓本体（２）をバネ（５Ａ）の弾性力に抗して前方に引っ張る。そうすると、水栓本体（２）の水導入口部（２１）が前方移動端、すなわちロック解除位置まで移動して、雄ネジ部材（３Ｃ）および水導入口部（２１）のセレーション（３１）（２１０）どうしの係合が解除され、水栓本体（２）が雄ネジ部材（３Ｃ）に対して回転可能となるので、その状態で水栓本体（２）をハンドル（２７）が真上に来る位置まで回転させる（図２７参照）。
次に、水栓本体（２）から手を離すと、バネ（５Ｂ）の弾性力によって、水導入口部（２１）が後方移動端、すなわちロック位置まで自動的に復帰し、水導入口部（２１）のセレーション（２１０）が雄ネジ部材（３Ｃ）のセレーション（３１）に係合して、雄ネジ部材（３Ｃ）と水栓本体（２１）が相対回転しないようになされ、バネ（５）によってその状態が保持される。
さらに、水導入口部（２１）を後方移動端に確実に保持するために、止めネジ（９）をその先端が環状溝（３６）の底面に達するまでねじ込む（図２６参照）。
以上のように、この実施形態の単水栓（１Ｆ）によれば、水栓本体（２）の回転方向の向きをきわめて容易に調整することが可能であり、施工初心者であっても、シールテープを無駄にしたり、漏水を心配することなく、簡単かつ確実に壁面（Ｗ）に取り付けることができる。
【００２０】
なお、上記の実施形態はあくまでも例示にすぎず、特許請求の範囲に記載された本発明の要旨を逸脱しない範囲において適宜に変更を加えた上で本発明を実施することも勿論可能である。
【符号の説明】
【００２１】
（Ｗ）：壁面（水栓取付面）
（Ｗ１）：孔
（Ｐ１）：給水配管前端の雌ネジ部
（１Ｆ）：単水栓
（２）：水栓本体
（２１）：水導入口部
（２１０）：セレーション（係合部）
（３Ｃ）：雄ネジ部材
（３１）：セレーション（係合部）
（５Ｂ）：バネ（保持手段）
（９）：止めネジ（保持手段）
【図１】
2010053685.tif 000003
【図２】
2010053685.tif 000004
【図３】
2010053685.tif 000005
【図４】
2010053685.tif 000006